(57)【要約】【課題】受金ユニットにおいて、前後位置の位置調整が容易で組付けを簡易にする。【解決手段】受金ユニット１０は、枠体Ｆの開口部Ｆ１周縁の前面に固定したケース体２０と、ケース体２０のスライド挿入孔２４内にその奥行き方向に摺動可能に支持されたスライドフック体３０と、スライド挿入孔２４内に設けられてスライドフック体３０の係止部３２をスライド挿入孔２４から突出するように付勢する弾性部材４０と、スライドフック体３０がスライド挿入孔２４から抜け出るのを防ぐストッパ５０とを備え、スライド挿入孔２４の内周壁には、その奥行き方向に延びて前後方向に互いに平行で等間隔に形成された複数の凹溝２４ａと、スライドフック体３０の摺動部３１の外周壁には、凹溝２４ａと係合可能でスライド挿入孔２４の奥行き方向に延びて前後方向に互いに平行で等間隔に形成された複数の突条３１ａとを設けた。【選択図】図４
2010106509.tif 000002
【特許請求の範囲】
【請求項１】
枠体の開口部を開閉する扉のハンドル装置の止金具を係止して前記扉を閉止する受金ユニットであって、
前記枠体の開口部周縁の前面に固定されてこの枠体前面と平行なスライド挿入孔が形成されたケース体と、
前記ケース体のスライド挿入孔内にその奥行き方向に摺動可能に支持されてその先端部が前記ハンドル装置の止金具と係止するスライドフック体と、
前記ケース体のスライド挿入孔の底部とこれに対向する前記スライドフック体の対向部との間に設けられて前記スライドフック体を前記スライド挿入孔から突出するように付勢する弾性部材と、
前記スライドフック体が前記スライド挿入孔から抜け出るのを防ぐストッパとを備えた受金ユニットにおいて、
前記ケース体のスライド挿入孔の内周壁とこれに対向する前記スライドフック体の外周壁の何れか一方には、前記スライド挿入孔の奥行き方向に延びて前後方向に互いに平行で等間隔に形成された複数の凹溝と、
前記ケース体のスライド挿入孔の内周壁とこれに対向する前記スライドフック体の外周壁の他方には、前記凹溝と摺動自在に係合可能であり前記スライド挿入孔の奥行き方向に延びて前後方向に互いに平行で等間隔に形成された複数の突条とを設けたことを特徴とする受金ユニット。
【発明の詳細な説明】
【技術分野】
【０００１】
本発明は、ハンドル装置の止金具を係止して扉を閉止する受金ユニットに関する。
【背景技術】
【０００２】
特許文献１には、スチームコンベクションオーブンに用いるハンドル装置の受金ユニットが開示されており、この受金ユニットは、スチームコンベクションオーブンの固定枠体の前面の開口部周縁で固定枠体の開口部を開閉する扉のハンドル装置の止金体と係止可能な位置に設けられている。この受金ユニットは、特許文献１の図３３及び図３４に示されているように、固定枠体の開口部の前面に固着された固定ベース体と、この固定ベース体に前後方向に進退可能に嵌合固定された可動ケースと、可動ケースの下向き空洞部内に上下方向に移動可能に収容された受金体と、可動ケースの下向き空洞内において可動ケースの上壁と受金体の上端部との間に設けられて受金体を下方に付勢するバネ体と、固定ベース体の下壁部に可動ケースの下袖壁部を堅固に固定するための定着板とから構成されている。
【０００３】
スチームコンベクションオーブンにおいては、内部に設けた調理庫の蒸気が固定枠体と扉との間から漏出しないように、固定枠体の開口部周縁にパッキン部材が設けられており、受金ユニットにおいては、扉の密閉度を調整するために、ハンドル装置の止金具と係止する受金体の前後位置を位置調整する必要がある。そのために、この受金ユニットの上部においては、固定ベース体の上壁部にボルトが嵌挿される孔と受金体を収容する可動ケースの上袖壁部に前後方向に延びる長孔とを設け、固定ベース体の孔と可動ケースの長孔とにボルトを挿入して可動ケースを適宜な前後位置として固定し、この受金ユニットの下部においては、固定ベース体の下壁部にボルトが嵌挿される長孔と可動ケースの下袖壁部にねじ孔とを設け、定着板から挿入されたボルトを固定ベース体の長孔を挿通して可動ケースを適宜な前後位置として可動ケースのねじ孔に固定している。
【０００４】
この受金ユニットにおいては、固定ベース体を固定枠体に取り付けるのに４本のボルトと、可動ケースから受金体を抜け止めするための１本のボルトと、可動ケースの上部を固定ベース体に前後位置に移動可能に取り付ける１組のボルトとナットと、可動ケースの下部を固定ベース体に固定するための２本のボルトとを要している。
【特許文献１】特開２００６−１６９８９６公報
【発明の開示】
【発明が解決しようとする課題】
【０００５】
特許文献１の受金ユニットは、固定ベース体と、可動ケースと、受金体と、バネ体と、定着板とかなる５つの構成部品と、これら構成部品を取り付けるために７本のボルト等を用いており、構成部品の部品点数が多いことで組立て作業を含めたコストが高くなっていた。また、この受金ユニットは、可動ケースの前後位置を調整して固定ベース体に取り付けるには、３本のボルトを用いなければならなく、その取付作業が面倒となっていった。本発明はこのような問題を解決することを目的とする。
【課題を解決するための手段】
【０００６】
本発明は上記課題を解決するため、枠体の開口部を開閉する扉のハンドル装置の止金具を係止して扉を閉止する受金ユニットであって、枠体の開口部周縁の前面に固定されてこの枠体前面と平行なスライド挿入孔が形成されたケース体と、ケース体のスライド挿入孔内にその奥行き方向に摺動可能に支持されてその先端部がハンドル装置の止金具と係止するスライドフック体と、ケース体のスライド挿入孔の底部とこれに対向するスライドフック体の対向部との間に設けられてスライドフック体をスライド挿入孔から突出するように付勢する弾性部材とスライドフック体がスライド挿入孔から抜け出るのを防ぐストッパとを備えた受金ユニットにおいて、ケース体のスライド挿入孔の内周壁とこれに対向するスライドフック体の外周壁の何れか一方には、スライド挿入孔の奥行き方向に延びて前後方向に互いに平行で等間隔に形成された複数の凹溝と、ケース体のスライド挿入孔の内周壁とこれに対向するスライドフック体の外周壁の他方には、凹溝と摺動自在に係合可能でありスライド挿入孔の奥行き方向に延びて前後方向に互いに平行で等間隔に形成された複数の突条とを設けたことを特徴とする受金ユニットを提供するものである。
【０００７】
上記のように構成した受金ユニットは、ケース体のスライド挿入孔の内周壁とこれに対向するスライドフック体の外周壁の何れか一方には、スライド挿入孔の奥行き方向に延びて前後方向に互いに平行で等間隔に形成された複数の凹溝と、ケース体のスライド挿入孔の内周壁とこれに対向するスライドフック体の外周壁の他方には、凹溝と係合可能でありスライド挿入孔の奥行き方向に延びて前後方向に互いに平行で等間隔に形成された複数の突条とを設けたので、スライドフック体をハンドル装置の止金具に係止させる適宜な前後位置としてケース体のスライド挿入孔に挿入するだけで、スライドフック体はその凹溝または突条がケース体のスライド挿入孔の突条または凹溝に係合されて適宜な前後位置となり、ねじ等を用いることなくスライドフック体を前後位置の位置調整を含めて簡単に取付ることができるようになる。また、スライドフック体はその凹溝または突条をスライド挿入孔の突条または凹溝に摺動自在に係合させているので、スライドフック体はスライド挿入孔の奥行き方向への摺動をこれら凹溝と突条とにより案内されてスムーズに摺動するようになる。さらに、スライドフック体はハンドル装置の止金具と係止する先端部以外はスライド挿入孔内に支持されているので汚れが付着しにくくなる。
【発明を実施するための最良の形態】
【０００８】
以下、本発明の受金ユニットの一実施形態を図面を用いて説明する。図１及び図２に示すように、この受金ユニット１０は、スチームコンベクションオーブンの枠体Ｆの開口部Ｆ１を開閉する扉Ｄのハンドル装置Ｈの止金具Ｈ１を係止して扉Ｄを閉止するものであり、枠体Ｆの開口部Ｆ１周縁の前面に固定されてこの枠体Ｆ前面と平行なスライド挿入孔２４が形成されたケース体２０と、ケース体２０のスライド挿入孔２４内にその奥行き方向に摺動可能に支持されてその先端部の係止部３２がハンドル装置Ｈの止金具Ｈ１と係止するスライドフック体３０と、ケース体２０のスライド挿入孔２４の底部とこれに対向するスライドフック体３０の対向部との間に設けられてスライドフック体３０をスライド挿入孔２４から突出するように付勢するバネ部材（弾性部材）４０と、スライドフック体３０がスライド挿入孔２４から抜け出るのを防ぐストッパ５０とを備えている。この受金ユニット１０においては、ケース体２０のスライド挿入孔２４の内周壁には、その奥行き方向に延びて前後方向に互いに平行で等間隔に形成された複数の凹溝２４ａと、スライドフック体３０におけるスライド挿入孔２４の内周壁と対向する外周壁には、凹溝２４ａと係合可能でありスライド挿入孔２４の奥行き方向に延びて前後方向に互いに平行で等間隔に形成された複数の突条３１ａとを設けたことを特徴とする。以下に、この受金ユニット１０について詳細な説明を記載する。
【０００９】
図３及び図４に示すように、ケース体２０は、スライドフック体３０を上下方向に摺動自在に支持するものである。ケース体２０は、スライドフック体３０を収容する収容部２１とこの収容部２１の左右に拡がるフランジ部２２，２２とからなり、これら２１，２２，２２を６ナイロンにより一体的に射出成形したものである。ケース体２０は、左右のフランジ部２２，２２を枠体Ｆの前面にねじ２３，２３により固定されている。図４及び図５に示すように、ケース体２０の収容部２１には、スライドフック体３０を摺動自在に支持するスライド挿入孔２４が形成されている。スライド挿入孔２４は、枠体Ｆの前面に対して平行で下方に開口する略直方体形状をした孔であり、その左右の内側壁にその奥行き方向に延びて前後方向に互いに平行で等間隔に形成された複数の三角溝（凹溝）２１ａが形成されている。
【００１０】
図２〜図４に示すように、スライドフック体３０は、ハンドル装置Ｈの止金具Ｈ１と係止して扉を閉止するものであり、ケース体２０のスライド挿入孔２４内にその奥行き方向に摺動自在に支持されている。スライドフック体３０は、スライド挿入孔２４内に摺動自在に支持される摺動部３１と、摺動部３１の下側でハンドル装置Ｈの止金具Ｈ１と係止する係止部３２とからなり、これら３１，３２をポリアセタールにより一体的に射出成形したものである。スライドフック体３０の摺動部３１は、スライド挿入孔２４の奥行き方向と直交する断面が長方形状をしており、この摺動部３１の前後の長さはスライド挿入孔２４の前後方向の長さより短くなっている。図５に示すように、摺動部３１は、スライド挿入孔２４の左右の内側壁と対向する左右の外側壁に、スライド挿入孔２４の奥行き方向に延びて前後方向に互いに平行で等間隔に形成された複数の三角突条（突条）３１ａが形成されている。スライドフック体３０は、摺動部３１の各三角突条３１ａがスライド挿入孔２４の適宜な前後位置における各三角溝２４ａに係合されており、スライド挿入孔２４内の奥行き方向に摺動自在に支持されている。摺動部３１には、スライド挿入孔２４の底壁と対向する上部（対向部）に後述するバネ部材４０の一部が挿入されるバネ挿入孔３１ｂが形成されている。摺動部３１には、下端部の後面に後述するストッパ５０を係止させる凹部３１ｃが形成されている。係止部３２は、摺動部３１の下端前部で下方に連成されており、係止部３２の下端部前面は下側になるとともに後方に傾斜する傾斜面３２ａが形成されている。
【００１１】
バネ部材４０は、スライド挿入孔２４内にあって、スライド挿入孔２４の底壁とこれに対向するスライドフック体３０のバネ挿入孔３１ｂの底壁（スライドフック体３０の対向部）との間に設けられている。バネ部材４０は、スライドフック体３０の係止部３２をスライド挿入孔２４から突出する方向に付勢している。
【００１２】
ストッパ５０は、バネ部材４０により付勢されたスライドフック体３０がスライド挿入孔２４内から抜け出るのを防止するためのものでる。ストッパ５０は、ケース体２０の後面に形成された凹部２０ａ内に設けられた基部５０ａと、この基部５０ａから前側に垂直に折り曲げられてケース体２０の後面に形成された貫通孔２０ｂを挿通してスライド挿入孔２４内に突出する抜止部５０ｂとからなる断面形状略Ｌ字形をしている。ストッパ５０は、抜止部５０ｂがスライドフック体３０の凹部３１ｃの上壁と係止してバネ部材４０により付勢されたスライドフック体３０がスライド挿入孔２４内から抜け出るのを防止している。
【００１３】
上記のように構成した受金ユニット１０の作動について説明する。受金ユニット１０が外力を受けていないときには、スライドフック体３０はバネ部材４０の付勢力により先端部の係止部３２がスライド挿入孔２４から突出した前進位置となった状態で、ストッパ５０によりスライド挿入孔２４から抜け出るのを防止されている。スライドフック体３０が前進位置にある状態で扉Ｄを閉止させると、ハンドル装置Ｈの止金具Ｈ１がスライドフック体３０の係止部３２の傾斜面３２ａを押してスライドフック体３０をバネ部材４０の付勢力に抗してスライド挿入孔２４内を後退させる。止金具Ｈ１がスライドフック体の係止部３２の後側まで移動すると、スライドフック体３０はバネ部材４０の付勢力により再度前進位置まで移動し、ハンドル装置Ｈの止金具Ｈ１がパッキン部材Ｐの弾性により前方に付勢された状態でスライドフック体３０の係止部３２の後面と係止されて扉Ｄを閉止させる。
【００１４】
次ぎに、上記のように構成した受金ユニット１０の枠体Ｆへの取付について説明する。スライドフック体３０のバネ挿入孔３１ｂにバネ部材４０の一部を挿入した状態で、スライドフック体３０の摺動部３１を適宜な前後位置となるようにしてケース体２０のスライド挿入孔２４内に挿入する。このとき、スライドフック体３０は左右両側の外側壁の各三角突条３１ａがケース体２０のスライド挿入孔２４の左右両側の内側壁の各三角溝２４ａに摺動自在に係合されることになり、スライドフック体３０は、適宜な前後位置に位置決めされた状態でスライド挿入孔２４の奥行き方向に摺動可能とすることができる。スライドフック体３０をバネ部材４０の付勢力に抗してスライド挿入孔２４内に押し込んだ状態にして、ストッパ５０の抜止部５０ｂをケース体２０の貫通孔２０ｂに挿入してスライド挿入孔２４内に突出するようにし、基部５０ａをケース体２０の凹部２０ａ内に収容させる。スライドフック体３０をスライド挿入孔２４内に押し込んだ状態から開放すると、スライドフック体３０はバネ部材４０の付勢力により先端部の係止部３２がスライド挿入孔２４から突出し、スライドフック体３０は凹部３１ｃの上壁にストッパ５０の抜止部５０ｂが係止して抜け出るのが防止される。このように組み立てられた受金ユニット１０は、ケース体２０を枠体Ｆに当接した状態にして、ケース体２０のフランジ部２２，２２をねじ２３、２３により枠体Ｆに固定される。
【００１５】
上記のように構成した受金ユニット１０は、ケース体２０のスライド挿入孔２４の左右の内側壁にその奥行き方向に延びて前後方向に互いに平行で等間隔に形成された複数の三角溝２４ａが形成され、スライドフック体３０の摺動部３１の左右の外周壁にスライド挿入孔２４の三角溝２４ａと係合可能でありスライド挿入孔２４の奥行き方向に延びて前後方向に互いに平行で等間隔に形成された複数の三角突条３１ａとを設けたので、スライドフック体３０をハンドル装置Ｈの止金具Ｈ１に係止させる適宜な前後位置としてケース体２０のスライド挿入孔２４に挿入するだけで、スライドフック体３０の三角突条３１ａがケース体２０のスライド挿入孔２４の三角溝２４ａに摺動自在に係合されて適宜な前後位置となり、ねじ等を用いることなくスライドフック体３０を前後位置の位置調整を含めて簡単に取付ることができるようになる。また、スライドフック体３０はその三角突条３１ａをスライド挿入孔２４の三角溝２４ａに摺動自在に係合させているので、スライドフック体３０はスライド挿入孔２４の奥行き方向への摺動をこれら三角突条３１ａと三角溝２４ａとにより案内されてスムーズに摺動するようになる。また、ケース体２０の収容部２１は下端部が下側になるとともに後方に傾斜しており、スライドフック体３０の摺動部３１も同様に下端部が下側になるとともに後方に傾斜しているので、三角突条３１ａと三角溝２４ａとの係合される部分を増やすことができてこの係合される部分の強度を高くすることができる。また、スライドフック体３０はハンドル装置Ｈの止金具Ｈ１と係止する先端部の係止部３２以外はスライド挿入孔２４内に支持されているので汚れが付着しにくくなる。また、ケース体２０は、６ナイロンによる樹脂素材よりなるので、三角溝２４ａに三角突条３１ａを摺動自在に係合させても、耐久性が高く破損しにくくなるとともに、蒸気や油分等に対しても腐食されることがない。また、スライドフック体３０は、ポリアセタールによる樹脂素材よりなるので、三角突条３１ａを三角溝２４ａに摺動自在に係合させても、耐疲労性が高く破損しにくくなっているとともに、グリースなどの潤滑剤を用いることなく三角突条３１ａが三角溝２４ａをスムーズに摺動させることができる。また、ケース体２０とスライドフック体３０を、強度の高い樹脂素材よりなるようにしたので、軽量化できるようになるとともにコストをさらに低減させることができた。また、ストッパ５０は、抜止部５０ｂをケース体２０の貫通孔２０ｂに挿入してスライド挿入孔２４内に突出するようにし、基部５０ａをケース体２０の凹部２０ａ内に収容させるだけであるので、ねじ等を用いることなく簡単に取り付けることができる。また、ストッパ５０は、ケース体２０の後面から取り付けられているので、ケース体２０が枠体Ｆに固定されているときには外れることなく確実に固定されており、ケース体２０を枠体Ｆから取り外すことで容易に着脱可能とすることができる。
【００１６】
上記の実施形態においては、ケース体２０のスライド挿入孔２４には三角溝２４ａを形成し、スライドフック体３０の摺動部３１には三角突条３１ａを形成しているが、本発明はこれに限られるものでなく、スライド挿入孔２４の内周壁にはその奥行き方向に延びて前後方向に互いに平行で等間隔に形成された複数の三角突条（突条）２４ａを形成し、スライドフック体３０の摺動部３１にはスライド挿入孔２４の奥行き方向に延びて前後方向に互いに平行で等間隔に形成された複数の三角溝（凹部）３１ａを形成するようにしてもよい。また、各凹部及び各突条の形状は、三角溝及び三角突条であると、前後方向に多くの三角溝及び三角突条を形成することができて高い強度を得ることができるが、本発明はこれに限られるものでなく、四角溝及び四角突条等の他の形状をしたものでもよく、このようにしたときでも同様の作用効果を得ることができる。また、ケース体２０及びスライドフック体３０の材質は上記のものに限られるものでなく、さらに強度を高くする必要があるときには金属製のものであってもよい。
【図面の簡単な説明】
【００１７】
【図１】本発明の受金ユニットを取り付けたスチームコンベクションオーブンの一部破断正面図である。
【図２】受金ユニットとハンドル装置の側面図である。
【図３】受金ユニットの正面図である。
【図４】図３のＡ−Ａ線における断面図である。
【図５】図３のＢ−Ｂ線における断面図である。
【符号の説明】
【００１８】
１０…受金ユニット、２０…ケース体、２４…スライド挿入孔、２４ａ…凹溝、３０…スライドフック体、３１ａ…突条、４０…弾性部材、５０…ストッパ、Ｄ…扉、Ｆ…枠体、Ｆ１…開口部、Ｈ…ハンドル装置、Ｈ１…止金具。
【図１】
2010106509.tif 000003
【図２】
2010106509.tif 000004
【図３】
2010106509.tif 000005
【図４】
2010106509.tif 000006
【図５】
2010106509.tif 000007